(57)【要約】  アイソレータの入力で作動する、ベースライン電圧ワンダを補償する回路を開示する。本回路は、低インダクタンス巻線によって引き起こされるベースラインワンダを最少化するために、低周波数領域における通過帯域を増加させることにより、分離回路（例えば、トランス）の周波数応答を電子的に補償することができる。補償回路を使用して、パルスの振幅および持続時間に比例し、分離回路の開回路インダクタンスに反比例する電流ランプを注入することができる。
2018537025.tif 000002
【特許請求の範囲】
【請求項１】
アイソレータの入力でのベースライン電圧ワンダを補償するための回路であって、
入力電圧信号のフィルタ処理された表現を生成するように構成される、フィルタ回路と、
前記電圧信号の前記フィルタ処理された表現から抽出される電圧の大きさに関する情報を使用して、出力電流ランプ信号を生成するように構成される、ドライバ回路であって、前記アイソレータの入力に前記出力電流ランプ信号を注入して、前記入力電圧信号が前記アイソレータの前記入力に印加されるときの前記入力電圧信号の電圧低下を低減または抑制するようにさらに構成される、ドライバ回路と、を備える、回路。
【請求項２】
前記電圧信号の前記フィルタ処理された表現を増幅し、かつ、前記出力電流ランプ信号を生成するための前記ドライバ回路に、前記電圧信号の前記増幅されフィルタ処理された表現を提供するように構成される、利得回路をさらに備える、請求項１に記載の回路。
【請求項３】
前記アイソレータが、誘導性デバイスを備える、請求項１または２に記載の回路。
【請求項４】
前記誘導性デバイスが、８０マイクロヘンリー未満のインダクタンスを有する、請求項３に記載の回路。
【請求項５】
前記ドライバ回路が、前記電圧信号の前記フィルタ処理された表現から抽出される前記電圧の大きさに関する情報と、前記誘導性デバイスに対応するインダクタンスの値とを少なくとも部分的に使用して、前記出力電流ランプ信号を生成するように構成される、請求項３に記載の回路。
【請求項６】
前記ドライバ回路が、前記電圧信号の前記フィルタ処理された表現から抽出される前記電圧の大きさの値に関する情報と、前記誘導性デバイスに対応する前記インダクタンスの前記値とを使用して生成された勾配を有する前記出力電流ランプ信号を生成するように構成される、請求項５に記載の回路。
【請求項７】
前記アイソレータが、トランスを備える、請求項１または２に記載の回路。
【請求項８】
前記ドライバ回路が、前記出力電流ランプ信号に対してゼロ平均ＤＣ電流を確立するように構成される、請求項１または２に記載の回路。
【請求項９】
前記ドライバ回路およびフィルタ回路が、前記出力電流信号に対してゼロ平均ＤＣ電流を維持しながら、前記入力電圧信号を所望の入力電圧信号の指定された範囲内に維持するように前記電圧低下を低減するように構成される、請求項８に記載の回路。
【請求項１０】
前記ドライバ回路が、前記入力電圧信号の一部として含まれる送信パルス持続時間に対応するランプ持続時間を含む前記出力電流ランプ信号を生成するように構成される、請求項１に記載の回路。
【請求項１１】
前記ドライバ回路が、前記アイソレータの飽和を回避するために確立された１つ以上の送信パルス持続時間または電流制限に関する情報に応じて前記ランプ信号を解放することを含む、前記出力電流ランプ信号を生成するように構成される、請求項１に記載の回路。
【請求項１２】
前記フィルタ回路と電流ドライバ回路が閉ループ構成で結合され、前記電流ドライバ回路の出力は前記フィルタ回路の入力に結合される、請求項１に記載に記載の回路。
【請求項１３】
前記フィルタ回路が、コンデンサに結合された相互コンダクタンス増幅器を備える、請求項１に記載の回路。
【請求項１４】
アイソレータの入力でのベースライン電圧ワンダを補償するための補償ループ回路であって、
前記アイソレータの入力に結合される、フィルタ回路であって、前記アイソレータの前記入力から入力電圧信号を受信し、かつ前記電圧信号のフィルタ処理された表現を生成するように構成される、フィルタ回路と、
前記フィルタ回路の出力に結合される、利得回路であって、前記電圧信号の前記フィルタ処理された表現を増幅して、増幅された電圧信号を生成するように構成される、利得回路と、
前記利得回路の出力および前記フィルタ回路の入力に結合されて、前記補償ループ回路を形成する、ドライバ回路であって、前記増幅された電圧信号に基づいて、出力電流ランプ信号を生成するように構成される、ドライバ回路と、を備え、
前記ドライバ回路は、前記出力電流ランプ信号を前記アイソレータの前記入力に注入して、入力電圧信号が前記アイソレータの前記入力に印加されるときに前記入力電圧信号の電圧低下を低減または抑制するようにさらに構成され、
前記出力電流ランプ信号は、前記入力電圧信号に関連する電圧利得、および前記出力電流ランプ信号に対応する出力電圧信号に基づいて構成可能である、補償ループ回路。
【請求項１５】
前記フィルタ回路は積分コンデンサを備え、前記補償ループ回路の前記電圧利得は、前記積分コンデンサのキャパシタンスを調整することに基づいて、前記出力電流ランプ信号を変化させるように構成される、請求項１４に記載の補償ループ回路。
【請求項１６】
ベースライン電圧ワンダを補償するための信号を生成する方法であって、
アイソレータ回路の入力から入力電圧信号を受信することと、
前記受信された入力電圧信号をフィルタ処理して、前記電圧信号のフィルタ処理された表現を生成することと、
前記アイソレータ回路に関連するインダクタンス、および前記電圧信号の前記フィルタ処理された表現から抽出される電圧の大きさに比例する電流ランプ信号を生成することと、
前記電流ランプ信号を前記アイソレータの前記入力に注入して、前記入力電圧信号が前記アイソレータの前記入力に印加されるとき、前記入力電圧信号の電圧低下を低減または抑制することと、を含む、方法。
【請求項１７】
前記電圧信号の前記フィルタ処理された表現を増幅し、増幅された電圧信号を生成することと、
前記増幅された電圧信号を電流信号に変換し、前記電流ランプ信号を生成することと、をさらに含み、前記電流ランプ信号は、前記入力電圧信号に関連する電圧利得、および前記電流ランプ信号に対応する出力電圧信号に基づいて構成可能である、請求項１６に記載の方法。
【請求項１８】
前記分離回路の前記インダクタンスまたは温度の一方または両方に基づいて、所望の電圧利得を選択することをさらに含む、請求項１７に記載の方法。
【請求項１９】
前記所望の電圧利得に基づいて、前記電圧利得を調整して、前記電流ランプ信号を修正することをさらに含む、請求項１８に記載の方法。
【請求項２０】
前記電圧利得を調整することが、前記電流ランプ信号を生成するために使用される少なくとも１つの回路の相互コンダクタンスまたはキャパシタンスの一方または両方を調整することをさらに含む、請求項１９に記載の方法。
【発明の詳細な説明】
【技術分野】
【０００１】
本発明はベースラインワンダの補償に関する。
【背景技術】
【０００２】
多くの通信システムでは、トランスなどのアイソレータ回路を使用してデータが交換される。例えば、イーサネット（登録商標）通信システムでは、通常、「イーサネット（登録商標）ＰＨＹ」と称される、イーサネット（登録商標）物理層回路と、ケーブル媒体（例えば、ＡＮＳＩ／ＴＩＡ−５６８−Ｃ．０，Ｇｅｎｅｒｉｃ  Ｔｅｌｅｃｏｍｍｕｎｉｃａｔｉｏｎｓ  Ｃａｂｌｉｎｇ  ｆｏｒ  Ｃｕｓｔｏｍｅｒ  Ｐｒｅｍｉｓｅｓ，Ｃａｔｅｇｏｒｙ  ５）への物理的および電気的接続を提供するイーサネット(登録商標)ポート（例えば、媒体依存インタフェース（ＭＤＩ））との間に、電気的分離が提供されるべきことがＩＥＥＥ８０２．３（例えば、電気電子技術者協会８０２．３−２０１２）規格で規定されている。このようなイーサネット(登録商標)実装では、データは、トランスを使用して、イーサネット(登録商標)対応デバイスからケーブル媒体に送信されてもよい。
【０００３】
しかしながら、分離されたシステム間またはサブシステム間でデータを送信するためにトランスを使用することは、ある欠点と関連付けられ得る。例えば、それが結合されている他のインピーダンスと関連して、その誘導性のために、トランスからエネルギーが漏れ出すにつれて、トランスで駆動される電圧が経時的に低下するときに、ベースラインワンダが発生することがある。適用および規格では、このようなベースラインワンダを制限する必要があり得る。
【０００４】
ベースラインワンダを制限するための従来の手法には、集積トランス回路の使用を複雑にし、または妨げるインダクタンス値を有する、トランスを使用することが含まれる。例えば、いくつかのイーサネット（登録商標）規格は、少なくとも８０マイクロヘンリー（μＨ）以上、それどころか３５０μＨ以上のトランスインダクタンスの使用さえも可能であると解釈できる。
【発明の概要】
【課題を解決するための手段】
【０００５】
本開示の実施形態は、アイソレータの入力で作動して、全体的なベースライン電圧ワンダを補償する回路を提供することができる。この回路は、フィルタ回路と、ドライバ回路とを含むことができる。フィルタ回路は、アイソレータの入力から入力電圧信号を受信し、電圧信号のフィルタ処理された表現を生成するように構成することができる。ドライバ回路は、電圧信号のフィルタ処理された表現から抽出される電圧の大きさに関する情報を使用して、出力電流ランプ信号を生成するように構成することができる。ドライバ回路は、出力電流ランプ信号をアイソレータの入力に注入して、入力電圧信号がアイソレータの入力に印加されるときに入力電圧信号の電圧低下を低減または抑制するようにさらに構成することができる。
【０００６】
一例では、アイソレータの入力でのベースライン電圧ワンダを補償するための補償ループ回路は、フィルタ回路と、利得回路と、ドライバ回路とを含むことができる。フィルタ回路はアイソレータの入力に結合することができる。フィルタ回路は、アイソレータの入力から入力電圧信号を受信し、電圧信号のフィルタ処理された表現を生成するように構成することができる。利得回路は、フィルタ回路の出力に結合することができ、かつ、電圧信号のフィルタ処理された表現を増幅して、増幅された電圧信号を生成するように構成することができる。ドライバ回路は、利得回路の出力およびフィルタ回路の入力に結合され、補償ループ回路を形成することができる。ドライバ回路は、増幅された電圧信号に基づいて出力電流ランプ信号を生成するように構成することができる。ドライバ回路は、出力電流ランプ信号をアイソレータの入力に注入して、入力電圧信号がアイソレータの入力に印加されるときに入力電圧信号の電圧低下を低減または抑制するようにさらに構成することができる。出力電流ランプ信号は、入力電圧信号に関連する電圧利得、および出力電流ランプ信号に対応する出力電圧信号に基づいて構成可能である。
【０００７】
一例では、ベースライン電圧ワンダを補償するための信号を生成する方法は、アイソレータ回路の入力から入力電圧信号を受信することを含むことができる。受信された入力電圧信号をフィルタ処理して、電圧信号のフィルタ処理された表現を生成することができる。アイソレータ回路に関連するインダクタンス、および電圧信号のフィルタ処理された表現から抽出される電圧の大きさに比例することができる電流ランプ信号を生成することができる。電流ランプ信号をアイソレータの入力に注入して、入力電圧信号がアイソレータの入力に印加されるとき、入力電圧信号の電圧低下を低減または抑制することができる。
本概要は、本特許出願の主題の概要を提供することを意図している。本発明の排他的または包括的な説明を提供することを意図するものではない。本特許出願に関するさらなる情報を提供するために、詳細な説明が含まれる。
【図面の簡単な説明】
【０００８】
【図１】例示的な実施形態による、アイソレータを使用してデータの通信を改善する通信システムを示す。
【図２】例示的な実施形態による、集積補償回路を有する通信回路を示す。
【図３】例示的な実施形態による、トランスの一次側を表す等価回路に結合された補償回路を示す。
【図４】例示的な実施形態による補償回路およびその等価回路を含む通信回路の例示的な信号を示す信号図である。
【図５】例示的な実施形態による補償回路およびその等価回路を含む通信回路の例示的な信号を示す信号図である。
【図６】例示的な実施形態による補償回路およびその等価回路を含む通信回路の例示的な信号を示す信号図である。
【図７】例示的な実施形態による補償回路を示す。
【図８】図７の補償回路のためのフィルタステージおよび利得ステージの例示的な実施形態を示す。
【図９Ａ】補償回路の例示的な実施形態を示す。
【図９Ｂ】補償回路の例示的な実施形態を示す。
【図１０】一実施形態による、ベースライン電圧ワンダを補償するための信号を生成する例示的な方法のフロー図を示す。
【発明を実施するための形態】
【０００９】
図面は必ずしも一定の縮尺で描かれておらず、同様の数字は異なる図で類似の構成要素を示すことがある。異なる文字接尾辞を有する同様の数字は、同様の構成要素の異なる実例を表すことができる。図面は、本明細書で論じられる様々な実施形態を例示として概略的に図示し、これに限定されるものではない。
【００１０】
１つの手法によって、低インダクタンス巻線によって引き起こされるベースラインワンダ（例えば、電圧低下）を最少にするために、低周波数領域における通過帯域を増加させることにより、分離回路（例えば、トランス）の周波数応答を電子的に補償する補償回路を提供することができる。例えば、補償回路を使用して、パルスの振幅および持続時間に比例し、分離回路の開回路インダクタンス（ＯＣＬ）に反比例する電流ランプを注入することができる。この手法により、補償回路を欠き、対応する分離スキームよりも小さなインダクタンス値を有する、磁気デバイスなどの分離回路の使用が可能になる。
【００１１】
図１は、例示的な実施形態による、アイソレータを使用してデータの通信を改善する通信システムを示す。図１を参照すると、この通信システムは、分離バリア１０７の第１の側に配置された通信回路１０４と、分離バリアの第２の側に配置されたケーブルデバイス１０８と、アイソレータ回路１０６とを含むことができる。通信回路１０４は、アイソレータ回路１０６を介しケーブルを越えて送信するためのデータ信号１０２を受信するように構成することができる。ケーブルデバイス１０８は、アイソレータ回路１０６を介して通信回路１０４からの送信を受信した結果として、データ出力信号１１０を提供することができる。
【００１２】
アイソレータ回路１０６は、分離バリア１０７を横切って通信回路１０４とケーブルデバイス１０８との間の通信を提供するように構成することができる。実施形態では、アイソレータ回路１０６は、トランスであってもよい。他の実施形態では、アイソレータ回路１０６は、ベースラインワンダまたは他の同様の現象が懸念される別のタイプのアイソレータデバイスであってもよく、１つ以上の別のタイプの誘導型アイソレータ、光アイソレータ、または容量性アイソレータなどを例示として挙げることができる。一実施形態では、アイソレータ回路は、誘導性デバイスの直列および／または並列の組み合わせを含むことができる。
【００１３】
図２は、例示的な実施形態による、集積補償回路を有する通信回路を示す。図２を参照すると、通信回路２００は、データ入力２０４、データ入力、符号化およびタイミング回路２１０、ドライバ回路２１２、補償回路２０８、ならびに制御回路２０６を含むことができる。ドライバ回路２１２は、トランスまたは別のタイプの分離回路のようなアイソレータ回路２１４に結合することができる。一実施形態では、通信回路２００の構成要素は、同じ集積回路基板上に集積することができる。一実施形態では、通信回路２００の構成要素は、同じ回路パッケージ内に含まれ得る。一実施形態では、分離回路２１４（またはその１つ以上の部分）は、通信回路２００と同じ集積回路基板上に集積することができる。一実施形態では、分離回路２１４（またはその１つ以上の部分）は、通信回路２００を含む集積回路基板と同じパッケージ内に一緒にパッケージングされた第２の集積回路基板上に集積された別個の回路であってもよい。
【００１４】
データ入力、符号化およびタイミング回路２１０は、アイソレータ回路２１４を横切ってケーブルデバイスに送信するための入力データ信号２０４を受信するように構成することができる。それに応答して、データ入力、符号化およびタイミング回路２１０は、データ同期、フレーミング、符号化、または他の動作のうちの１つ以上を実行するように構成され、入力データ２０４を表すドライバ入力信号を送信用に生成することができる。ドライバ回路２１２は、データ入力、符号化およびタイミング回路２１０からドライバ入力信号を受信するように構成することができる。それに応答して、ドライバ回路２１２は、分離回路２１４（例えば、トランスの一次側）に対応する信号を駆動することができる。補償回路２０８は、分離回路２１４（例えば、トランスの一次側）に電流を供給して、データ信号を送信することに関連してトランスで受け得るベースラインワンダを補償するように構成することができる。制御回路２０６は、クロック信号２０２を受信し、データ入力、符号化およびタイミング回路２１０、補償回路２０８、またはドライバ回路２１２のうちの１つ以上を制御するように構成することができる。
【００１５】
図３は、例示的な実施形態による、トランスの一次側を表す等価回路に結合された補償回路を示す。図３を参照すると、ドライバ回路３０４は、電圧ドライバ回路３０４ａおよび終端インピーダンス３０４ｂを含むことができる。電流補償回路３０２は、制御された電流源３０２ａを含むことができる。等価な一次回路３０６は、インダクタンス３０８と、終端インピーダンス（例えば、トランスの一次側に反映される、トランスの二次側の終端インピーダンス）を表す抵抗３１０とを含むことができる。図示を明瞭にするために、図３では、ドライバ回路３０４および電流補償回路３０２の他の構成要素は省略されている。例えば、電流補償回路３０２の制御された電流源３０２ａは、デジタルアナログ変換器、タイマ、およびトランジスタのうちの１つ以上のような、選択された電流を生成するための適切な構成要素を含むことができ、制御回路（例えば、図２の２０６）から受信した制御信号を使用して制御され得る。
【００１６】
図３は、ドライバ回路３０４によって生成された電圧信号の電圧および持続時間が分かっている場合に、ベースラインワンダを補償するために使用することができる、補償回路３０２の開ループ構成を示す。例えば、補償回路３０２の開ループ構成は、送信信号の既知の特性を有する回路（例えば、１０／１００Ｂａｓｅ−Ｔ通信回路）で使用することができる。補償回路３０２は、等価な一次回路３０６で受けるベースラインワンダを補償するために電流を生成するように構成することができる。すなわち、補償回路３０２は、トランスの誘導特性に起因して失われるエネルギーを補償する量につき、トランスの一次側（例えば、等価な一次回路３０６）に電流を注入するように構成することができる。インダクタンス、電圧、および電流の関係は、次の式で表される。
【００１７】
【数１】
2018537025.tif 000003
【００１８】
ここで、Ｖ（ｔ）は等価な一次回路３０６における電圧であり、ｉ（ｔ）は等価な一次回路３０６における電流であり、Ｌはトランスの一次側の等価な一次回路３０６におけるインダクタンスである。ベースラインワンダを排除するために、補償回路は、一定または実質的に一定のＶ（ｔ）を確立するように構成することができる。一例として、一定のＶ（ｔ）を生成するために、電流ｉ（ｔ）は以下のように決定されてもよい。
【００１９】
【数２】
2018537025.tif 000004
【００２０】
したがって、一定（または実質的に一定）の電圧を生成するための電流は、Ｖ／Ｌの勾配で時間に比例した電流ランプであり得る。
【００２１】
図４、図５、および図６は、例示的な実施形態による補償回路およびその等価回路を含む通信回路の例示的な信号を示す信号図である。
【００２２】
図４は、ドライバ回路（例えば、３０４）によって生成された例示的なドライバパルス４０８を示す。ドライバパルス４０８は、ある振幅によって特徴付けられ、実質的に一定であり得る。ドライバパルス４０８は、終端インピーダンス（例えば、３１０）の結果として電圧分割を受けることができる。その結果、トランスの一次側（例えば、等価な一次回路３０６）に現れる電圧は、低下（例えば、半減）され得る。図４は、補償回路を有しない、または補償回路が不活性化されているなど、いかなる補償もないドライバパルスの結果として、等価な一次回路３０６に現れる電圧信号４０４の一例をも示す。図４に示すように、電圧信号４０４は経時的に低下する。
【００２３】
図４は、電圧低下を排除するか、または実質的に排除するために補償回路３０２によって提供される補償電流とともに、等価な一次回路３０６に現れる例示的な電圧信号をさらに示す。図４に示すように、一次電圧信号４０６は一定または実質的に一定である。図４は、一次電圧信号４０４の電圧低下を補償するために補償回路３０２によって供給され得る例示的な補償電流信号４０２をさらに示す。図４に示すように、電流信号４０２は、ドライバパルス４０８の初めに始まり、上述のように選択された勾配を有するランプ信号の形状であり、一定または実質的に一定の電圧信号４０６を生成する。
【００２４】
一例では、補償回路３０２は、ベースラインワンダまたは他の現象を部分的にのみ補償する電流を供給するように構成することができる。例えば、補償回路３０２は、完全に補償するのに必要な勾配よりも小さい勾配を有するランプ電流を供給するように構成することができる。これにより、ゼロでない平均補償電流を供給することを回避することができる。ある程度のベースラインワンダを受けるとしても、その程度のベースラインワンダは許容可能である。
【００２５】
図５は、ベースラインワンダを完全に補償するのに必要な量よりも少ない補償電流を使用して、トランスの一次側（例えば、等価な一次回路３０６）で生成された例示的な電流信号５００を示す。図５に示すように、補償電流は、等価な一次回路３０６においてゼロ平均ＤＣ電流を産出することができるが、ある量のベースラインワンダを許容する。
【００２６】
一例では、補償電流利得（勾配）は、例えばトランスを飽和させないように制限することができる。例えば、補償回路３０２によって生成される補償電流は、データパルスを補償する各ランプ期間の後に放出することができる。このようにして、累積補償電流および／または一次電流は、経時的（多くの信号期間）に（例えば、図４に示すように）連続的には上昇しない。
【００２７】
図６は、例示的な電圧パルス６０２と、パルスの終了後に放出される制限された利得（勾配）補償電流を使用してトランスの一次側で生成された電流信号６０４とを示す。図６に示すように、補償電流信号６０４は、データパルスの間に補償することができるが、エネルギーがデータパルスの外側でトランスによって放出されることを可能にする。
【００２８】
図７は、例示的な実施形態による、補償回路を示す。図７を参照すると、補償回路７２０は、帯域通過フィルタ回路７２２と、利得回路７２４と、電流ドライバ回路７２６とを含むことができる。図７に示すように、補償回路７２０は閉ループ構成で提供され得、フィルタ回路７２２への入力はドライバ回路７２６の出力（例えば、ノード７０４）に結合されている。補償回路７２０は、補償されていない（または不十分に補償された）通信回路７０２によって駆動される等価な一次回路７０６に接続することができる。一例では、回路７０２はプッシュ／プルドライバ回路とすることができる。一例では、等価な一次回路７０６は、トランスの一次側を表すことができ、インダクタンス７１０と、終端インピーダンス（例えば、トランスの一次側に反映される、トランスの二次側の終端インピーダンス）を表す抵抗７０８とを含んでいる。
【００２９】
一例では、補償回路７２０のループは、補償されていない、または不十分に補償された通信回路を補償するために一次に供給されている、例えば、上述のランプ電流または同様な電流などの電流を結果として生じることができる。
【００３０】
一例では、補償回路７２０は、スタンドアローン回路であってもよく、または、ドライバ回路７０２および／もしくは等価な一次回路７０６と共同集積されてもよい。
【００３１】
一例では、閉ループモードで構成された補償回路７２０は、出力信号の特性（例えば、パルス持続時間および電圧レベル）が分からない場合に、出力信号のベースラインワンダを補償するために使用することができる。例えば、閉ループ補償回路７２０は、１０００Ｂａｓｅ−Ｔモードで作動する全二重ギガビットＰＨＹ回路に関連して使用することができる。この場合、補償回路は、低周波数を自動的にブーストして、ドライバ回路７０２の出力ノード７０４における任意の信号のベースラインワンダ低下を低減することができる。補償回路の例示的な閉ループモデリングが、図９Ａおよび図９Ｂに関連して示されている。
【００３２】
再び図２を参照すると、図示の通信回路２００は、シングルエンド信号または差動信号のいずれかを提供するように構成することができる。例えば、トランスの一次側の一端にドライバ回路および補償回路（図３および図７に示す回路３０２、３０４、７２０、および７０２など）を接続して、トランスをシングルエンド方式で駆動することができる。差動回路を実現するためには、ドライバ回路および補償回路（図３および図７に示す回路３０２、３０４、７２０、および７０２など）の２つのインスタンスを接続することができ、またはドライバ回路および補償回路は２つの差動出力をトランスの一次側の２つの端部に供給するように構成することができ、トランスを差動方式で駆動する。
【００３３】
図８は、図７の補償回路のためのフィルタステージおよび利得ステージの例示的な実施形態を示す。図８を参照すると、フィルタステージ８０４および利得ステージ８０２は、差動入力および出力を含み、それぞれ図７のフィルタ回路７２２および利得回路７２４に対応することができる。一例では、フィルタステージ８０４は、それぞれのコンデンサ８１４および８１６に結合された演算増幅器８１０〜８１２を含むことができる。一例では、利得ステージは、演算増幅器８０６および８０８を含むことができる。利得ステージ８０２およびフィルタステージ８０４の他の実装も、異なる実施形態で使用することができる。
【００３４】
図９Ａおよび図９Ｂは、補償回路の例示的な実施形態を示す。図９Ａを参照すると、補償回路９００は、フィルタステージ９１６およびドライバステージ９１８を含む。フィルタステージ９１６は、コンデンサ９０４に結合された（相互コンダクタンスＧｍ１を有する）相互コンダクタンスステージ９０２を含み、Ｇｍ−Ｃフィルタを形成することができる。ドライバステージ９１８は、（相互コンダクタンスＧｍ２を有する）相互コンダクタンスステージ９０６を含むことができる。ドライバステージ９１８の出力は、等価な一次回路９０８に結合することができ、これは、インダクタンス９１０と、終端インピーダンスを表す抵抗９１２（例えば、トランスの一次側に反映される、トランスの二次側の終端インピーダンス）とを含むことができる。全出力インピーダンスは、Ｚｏｕｔ９１４と指定することができる。
【００３５】
補償回路９００は、閉ループ補償回路７２０の例示的な実装であるが、入力電圧ノードＶｉと出力電圧ノードＶｏとが分離された開ループを有する（閉ループ動作では、入力ノードＶｉと出力ノードＶｏは同じである）。
【００３６】
フィルタステージ９１６の出力電流は、
【００３７】
【数３】
2018537025.tif 000005
【００３８】
出力電流Ｉ１は積分コンデンサＣ１に印加され、次式で与えられるＣ１両端の電圧を結果として生じる。
【００３９】
【数４】
2018537025.tif 000006
【００４０】
ここで、
【００４１】
【数５】
2018537025.tif 000007
【００４２】
は、Ｇｍ−Ｃ積分器９０２および９０４のユニティゲイン周波数である。
【００４３】
ドライバステージ９１８の出力電流は、次式で与えられる。
【００４４】
【数６】
2018537025.tif 000008
【００４５】
出力電流Ｉｏは、出力インピーダンスＺｏｕｔに印加され、Ｚｏｕｔ両端の電圧は、次式で与えられる。
【００４６】
【数７】
2018537025.tif 000009
【００４７】
ここで、Ｚｏｕｔは、終端インピーダンスと、等価な一次回路９０８の開放回路インダクタンス（ＯＣＬ）との並列である。
【００４８】
【数８】
2018537025.tif 000010
【００４９】
低周波数では、ｓＬｏ≦Ｒｏとなり、低周波での出力インピーダンスはインダクタによって支配されると考えることができる。出力インピーダンスは以下のように表すことができる。
【００５０】
【数９】
2018537025.tif 000011
【００５１】
したがって、補償回路９００の低周波におけるループの利得は、以下のように表すことができる。
【００５２】
【数１０】
2018537025.tif 000012
【００５３】
入力電圧（Ｖｉ）は、ループ利得（Ａｖ）によって増幅され、等価な一次回路９０８に注入される前に、積分器９０６の相互コンダクタンス係数（Ｇｍ２）によって電流（Ｉｏ）に変換される。
【００５４】
一例では、補償回路９００は正帰還モードで動作することができ｜Ａｖ｜＜１のときに安定する。さらに、種々のＣ１値が、所与の｜Ａｖ｜について種々の等価インダクタンス値に対応することができる。種々の｜Ａｖ｜値は、種々の電流利得勾配に対応することができ、ベースラインワンダ低下を選択するために使用することができる。種々の｜Ａｖ｜値は、トランスの飽和効果を最小限に抑えるために注入電流の量を制限するためにも使用することができる。回路９０８に関連するインダクタンスの変動は、ループ利得の上記式に基づいて、ループ利得を安定に保つように積分コンデンサ９０４のキャパシタンスＣ１を調整することによって対処することができる。
【００５５】
図９Ｂは、入力電圧信号Ｖｉが接続９２０を使用して出力電圧信号Ｖｏに接続されている閉ループ構成の補償回路９００を示す。さらに、ドライバ回路９２２が、出力電圧信号Ｖｏおよび一次等価回路９０８に結合される。
【００５６】
一例では、補償回路は、トランス（例えば、等価な一次回路９０８）と集積することができ、かつ、トランスは温度センサを含むことができる。温度センサは、トランスの内部温度を監視することができ、トランスインダクタンス（ＯＣＬ）は、温度に基づいて（例えば、ルックアップテーブルを使用して）推定することができる。この点に関して、トランスインダクタンスが温度とともに変化するとき、（例えば、Ｃ１を調整することによって）、利得（例えば、「Ａｖ」）補正を行うことができる。
【００５７】
一例では、補償回路９００の相互コンダクタンスが固定であると仮定すると、中間周波数利得は、（回路９１０の）インダクタンス値Ｌｏと、積分コンデンサ９０４の内部パラメータＧｍ１、Ｇｍ２、およびキャパシタンス（Ｃ１）とによって支配される。この点に関して、ループ利得（Ａｖ）を一定に保つために、個々の相互コンダクタンス値Ｇｍ１およびＧｍ２、インダクタンス（Ｌｏ）およびキャパシタンス（Ｃ１）を動的に制御および調整することができる。外部インダクタンス（Ｌｏ）の任意の所与の値に対して、ループ相互コンダクタンス（Ｇｍ１＊Ｇｍ２）または内部容量Ｃ１を調整して、ループゲイン目標の安定性を確実にすることができる。
【００５８】
一例では、インダクタンス値（Ｌｏ）は、始動時に、または、例えば、温度および経時変化に基づいて調整するため動的に、測定することができる。別の例では、トランスは個別に特性試験することができ、インダクタンス値（ＯＣＬ）はルックアップテーブルに保存することができる。この点に関して、トランスの任意の所与の値ＯＣＬに対して、トランスの低周波数範囲を増加させ、電圧低下を最小にするように補償ループを調節することができる。
【００５９】
図１０は、一実施形態による、ベースライン電圧ワンダを補償するための信号を生成する例示的な方法のフロー図を示す。図１０を参照すると、例示的な方法１０００は、入力電圧信号がアイソレータ回路の入力から受信されると、１０１０において開始することができる。例えば、図７および図９Ａを参照すると、一次等価回路７０６はアイソレータ回路として使用することができ、補償回路７２０は入力電圧信号Ｖｉを受信することができる。
【００６０】
１０２０において、受信された入力電圧信号をフィルタ処理して、電圧信号のフィルタ処理された表現を生成することができる。例えば、入力信号Ｖｉは、入力電圧信号Ｖｉのフィルタ処理された表現Ｖ１を生成するために、フィルタ回路（７２２または９１６）によってフィルタ処理され得る。１０３０において、電流ランプ信号が生成され、ランプ信号は、アイソレータ回路に関連するインダクタンスに比例し、電圧の大きさは、電圧信号のフィルタ処理された表現から抽出される。
【００６１】
例えば、ドライバステージ（７２６または９１８）は、アイソレータ回路（７０６または９０８）の入力電圧およびインダクタンスの大きさに比例し得る電流ランプ信号Ｉｏを生成することができる。１０４０において、電流ランプ信号がアイソレータの入力に注入され、入力電圧信号がアイソレータの入力に印加されるときの入力電圧信号の電圧低下を低減または抑制する。例えば、生成された出力電流ランプ信号Ｉｏは、電圧低下を抑制するために、アイソレータ回路（７０６または９０８）に注入することができる。
【００６２】
本明細書で説明するベースラインワンダ補正は、分離回路（例えば、トランス）の一次側に関して実行されるが、開示はこの点に限定されない。トランスは一次側と二次側が結合されているため、一次側の電圧低下を補正することで二次側の低下も自動的に補正される。別の言い方をすれば、電流の補償は（本明細書で説明するように）一次側で物理的に実行されるが、ベースラインワンダ補正は、分離回路の一次側および二次側の両方で行われる。
【００６３】
様々な留意点と例
例１は、アイソレータの入力でのベースライン電圧ワンダを補償するための回路であって、本回路は、アイソレータの入力から入力電圧信号を受信するように構成され、かつ、電圧信号のフィルタ処理された表現を生成するように構成されたフィルタ回路と、電圧信号のフィルタ処理された表現から抽出される電圧の大きさに関する情報を使用して出力電流ランプ信号を生成するように構成され、かつ、アイソレータの入力に出力電流ランプ信号を注入して、入力電圧信号がアイソレータの入力に印加されるときの入力電圧信号の電圧低下を低減または抑制するように構成されたドライバ回路と、を備える。
【００６４】
例２では、例１の構成要件が、電圧信号のフィルタ処理された表現を増幅し、かつ、出力電流ランプ信号を生成するためのドライバ回路に、電圧信号の増幅されフィルタ処理された表現を供給するように構成された利得回路を任意に含む。
【００６５】
例３では、例１〜２のいずれかの１つ以上の構成要件が、アイソレータは誘導性デバイスを備えることを任意に含む。
【００６６】
例４では、例３の構成要件が、誘導性デバイスは８０マイクロヘンリー未満のインダクタンスを有することを任意に含む。
【００６７】
例５では、例３〜４のいずれかの１つ以上の構成要件が、ドライバ回路は、電圧信号のフィルタ処理された表現から抽出される電圧の大きさに関する情報、および誘導性デバイスに対応するインダクタンスの値を少なくとも部分的に使用して、出力電流ランプ信号を生成するように構成されることを任意に含む。
【００６８】
例６では、例５の構成要件が、ドライバ回路は、電圧信号のフィルタ処理された表現から抽出される電圧の大きさの値に関する情報と、誘導性デバイスに対応するインダクタンスの値とを使用して生成された勾配を有する出力電流ランプ信号を生成するように構成されることを任意に含む。
【００６９】
例７では、例１〜６のいずれかの１つ以上の構成要件が、アイソレータはトランスを備えることを任意に含む。
【００７０】
例８では、例１〜７のいずれかの１つ以上の構成要件が、ドライバ回路は、出力電流ランプ信号に対してゼロ平均ＤＣ電流を確立するように構成されることを任意に含む。
【００７１】
例９では、例８の構成要件が、ドライバ回路およびフィルタ回路は、出力電流信号に対してゼロ平均ＤＣ電流を維持しながら、入力電圧信号を所望の入力電圧信号の指定された範囲内に維持するように電圧低下を低減するように構成されることを任意に含む。
【００７２】
例１０では、例１〜９のいずれかの１つ以上の構成要件が、ドライバ回路は、入力電圧信号の一部として含まれる送信パルス持続時間に対応するランプ持続時間を含む出力電流ランプ信号を生成するように構成されることを任意に含む。
【００７３】
例１１では、例１〜１０のいずれかの１つ以上の構成要件が、ドライバ回路は、アイソレータの飽和を回避するために確立された１つ以上の送信パルス持続時間または電流制限に関する情報に応じてランプ信号を解放することを含む、出力電流ランプ信号を生成するように構成されることを任意に含む。
【００７４】
例１２では、例１〜１１のいずれかの１つ以上の構成要件が、フィルタ回路と電流ドライバ回路が閉ループ構成で結合され、電流ドライバ回路の出力はフィルタ回路の入力に結合されることを任意に含む。
【００７５】
例１３では、例１〜１２のいずれかの１つ以上の構成要件が、フィルタ回路はコンデンサに結合された相互コンダクタンス増幅器を備えることを任意に含む。
【００７６】
例１４は、アイソレータの入力でのベースライン電圧ワンダを補償するための補償ループ回路であって、本回路は、アイソレータの入力に結合されて、アイソレータの入力から入力電圧信号を受信し、かつ、電圧信号のフィルタ処理された表現を生成するように構成されたフィルタ回路と、フィルタ回路の出力に結合されて、電圧信号のフィルタ処理された表現を増幅し、増幅された電圧信号を生成するように構成された利得回路と、利得回路の出力および前記フィルタ回路の入力に結合されて、補償ループ回路を形成し、増幅された電圧信号に基づいて出力電流ランプ信号を生成するように構成されたドライバ回路と、を備え、ドライバ回路は、出力電流ランプ信号をアイソレータの入力に注入して、入力電圧信号がアイソレータの入力に印加されるときに入力電圧信号の電圧低下を低減または抑制するようにさらに構成され、出力電流ランプ信号は、入力電圧信号に関連する電圧利得、および出力電流ランプ信号に対応する出力電圧信号に基づいて構成可能である。
【００７７】
例１５では、例１４の構成要件が、フィルタ回路は積分コンデンサを備え、かつ、補償ループ回路の電圧利得は、積分コンデンサのキャパシタンスを調整することに基づいて構成され、出力電流ランプ信号を変化させることを任意に含む。
【００７８】
例１６は、ベースライン電圧ワンダを補償するための信号を生成する方法であって、本方法は、アイソレータ回路の入力から入力電圧信号を受信することと、受信された入力電圧信号をフィルタ処理して、電圧信号のフィルタ処理された表現を生成することと、アイソレータ回路に関連するインダクタンス、および電圧信号のフィルタ処理された表現から抽出される電圧の大きさに比例する電流ランプ信号を生成することと、電流ランプ信号をアイソレータの入力に注入して、入力電圧信号がアイソレータの入力に印加されるとき、入力電圧信号の電圧低下を低減または抑制することと、を含む。
【００７９】
例１７では、例１６の構成要件が、電圧信号のフィルタ処理された表現を増幅し、増幅された電圧信号を生成することと、増幅された電圧信号を電流信号に変換し、電流ランプ信号を生成することと、を任意に含み、電流ランプ信号は、入力電圧信号に関連する電圧利得、および電流ランプ信号に対応する出力電圧信号に基づいて構成可能である。
【００８０】
例１８では、例１７の構成要件が、分離回路のインダクタンスまたは温度の一方または両方に基づいて所望の電圧利得を選択することを任意に含む。
【００８１】
例１９では、例１８の構成要件が、所望の電圧利得に基づいて電圧利得を調整し、電流ランプ信号を修正することを任意に含む。
【００８２】
例２０では、例１９の構成要件が、電圧利得を調整することは、電流ランプ信号を生成するために使用される少なくとも１つの回路の相互コンダクタンスまたはキャパシタンスの一方または両方を調整することをさらに含むことを任意に含む。
【００８３】
本明細書に記載された非限定的な例のそれぞれは、それ自体で成り立つことができ、または１つ以上の他の例との様々な順列または組み合わせで組み合わせることができる。
【００８４】
上記の詳細な説明は、詳細な説明の一部を形成する添付の図面の参照を含む。図面は、本発明を実施することができる特定の実施形態を例示として示す。これらの実施形態は、本明細書では「例」とも称される。そのような例は、図示または説明されたものに追加の要素を含むことができる。しかしながら、本発明者らは、図示または記載された要素のみが提供される例をも企図する。さらに、本発明者らは、本明細書に図示または記載された、特定の例（またはその１つ以上の態様）に関して、または他の例（またはその１つまたは複数の態様）に関して、図示または説明された要素の任意の組み合わせまたは置換（またはその１つ以上の態様）を使用する例をも企図する。
【００８５】
本書と、本書に参考として組み込まれている文書との間に矛盾した使用がある場合、本書における使用が優先する。
【００８６】
本書において、「ａ」または「ａｎ」という用語は、特許文書において一般的であるように使用され、「ａｔ  ｌｅａｓｔ  ｏｎｅ」または「ｏｎｅ  ｏｒ  ｍｏｒｅ」という他の実例または使用とは無関係に、１つまたは複数を含む。本書において、「ｏｒ」という用語は、特に明記しない限り、「Ａ  ｏｒ  Ｂ」は、「Ａ  ｂｕｔ  ｎｏｔ  Ｂ」、「Ｂ  ｂｕｔ  ｎｏｔ  Ａ」、および「Ａ  ａｎｄ  Ｂ」を含むように、非排他的なｏｒを指すように使用される。本書において、「ｉｎｃｌｕｄｉｎｇ」および「ｉｎ  ｗｈｉｃｈ」という用語は、それぞれの「ｃｏｍｐｒｉｓｉｎｇ」および「ｗｈｅｒｅｉｎ」という用語の平易な英語の等価物として使用される。また、以下の特許請求の範囲において、「ｉｎｃｌｕｄｉｎｇ」および「ｃｏｍｐｒｉｓｉｎｇ」という用語は、限定されていない、すなわち、特許請求の範囲におけるそのような用語の後に列挙される要素に追加の要素を含むシステム、装置、物品、組成物、配合物、またはプロセスは、依然としてその請求項の範囲内にあるとみなされる。さらに、以下の特許請求の範囲において、「ｆｉｒｓｔ」、「ｓｅｃｏｎｄ」、および「ｔｈｉｒｄ」などという用語は単に標識として使用され、それらのオブジェクトに数値的な要件を課すことを意図していない。
【００８７】
本明細書に記載の方法の例は、少なくとも部分的に機械またはコンピュータで実現することができる。いくつかの例は、上記の例で説明した方法を実行するよう電子デバイスを構成するように、作動可能な命令でコード化されたコンピュータ可読媒体または機械可読媒体を含むことができる。そのような方法の実装には、マイクロコード、アセンブリ言語コード、高水準言語コードなどのコードを含めることができる。そのようなコードは、様々な方法を実行するためのコンピュータ可読命令を含むことができる。コードは、コンピュータプログラム製品の一部を形成することができる。さらに、一例では、コードは、命令実行中または他の時の間などに、１つ以上の揮発性、非一時的、または不揮発性の有形のコンピュータ可読媒体に有形に格納することができる。これらの有形のコンピュータ可読媒体の例には、ハードディスク、取り外し可能な磁気ディスク、取り外し可能な光ディスク（例えば、コンパクトディスクおよびデジタルビデオディスク）、磁気カセット、メモリカードまたはスティック、ランダムアクセスメモリ（ＲＡＭ）、読み出し専用メモリ（ＲＯＭ）などが含まれるが、これらに限定されない。
【００８８】
上記の説明は例示的であり、限定的なものではない。例えば、上記の例（またはその１つ以上の態様）は、互いに組み合わせて使用されてもよい。上記の説明を検討することにより、例えば当業者によって、他の実施形態を使用することができる。読者が技術的開示の本質を迅速に確認することを可能にするため、３７Ｃ．Ｆ．Ｒ．§１．７２（ｂ）に準拠して、要約が提供される。それは、特許請求の範囲または意味を解釈または制限するために使用されないことを理解して提出される。これは、特許請求されていない、開示された特徴が特許請求の範囲に不可欠であることを意図していると解釈されるべきではない。むしろ、本発明の主題は、開示された特定の実施形態の全ての特徴よりも少なくてもよい。したがって、以下の特許請求の範囲は、例または実施形態として詳細な説明に組み込まれ、各請求項は、別個の実施形態としてそれ自体で成り立ち、そのような実施形態は、様々な組み合わせまたは順列で互いに組み合わせることができる。本発明の範囲は、添付の特許請求の範囲を参照して、そのような特許請求の範囲が与えられる等価物の全範囲とともに決定されるべきである。
【符号の説明】
【００８９】
１０２  データ信号
１０４  通信回路
１０６  アイソレータ回路
１０７  分離バリア
１０８  ケーブルデバイス
１１０  データ出力信号
【図１】
2018537025.tif 000013
【図２】
2018537025.tif 000014
【図３】
2018537025.tif 000015
【図４】
2018537025.tif 000016
【図５】
2018537025.tif 000017
【図６】
2018537025.tif 000018
【図７】
2018537025.tif 000019
【図８】
2018537025.tif 000020
【図９Ａ】
2018537025.tif 000021
【図９Ｂ】
2018537025.tif 000022
【図１０】
2018537025.tif 000023
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
アイソレータの入力でのベースライン電圧ワンダを補償するための回路であって、
入力電圧信号を受信して、前記入力電圧信号のフィルタ処理された表現を生成するように構成される、フィルタ回路と、
前記入力電圧信号の前記フィルタ処理された表現から抽出される電圧の大きさに関する情報を使用して、出力電流ランプ信号を生成するように構成される、ドライバ回路であって、前記アイソレータの入力に前記出力電流ランプ信号を注入して、前記入力電圧信号の電圧低下を低減または抑制するようにさらに構成される、ドライバ回路と、を備え、前記入力電圧信号および前記出力電流ランプ信号は、前記アイソレータの前記入力に印加される、回路。
【請求項２】
前記入力電圧信号の前記フィルタ処理された表現を増幅し、かつ、前記出力電流ランプ信号を生成するための前記ドライバ回路に、前記入力電圧信号の前記増幅されフィルタ処理された表現を提供するように構成される、利得回路をさらに備える、請求項１に記載の回路。
【請求項３】
前記アイソレータが、誘導性デバイスを備える、請求項１または２に記載の回路。
【請求項４】
前記誘導性デバイスが、８０マイクロヘンリー未満のインダクタンスを有する、請求項３に記載の回路。
【請求項５】
前記ドライバ回路が、前記入力電圧信号の前記フィルタ処理された表現から抽出される前記電圧の大きさに関する情報と、前記誘導性デバイスに対応するインダクタンスの値とを少なくとも部分的に使用して、前記出力電流ランプ信号を生成するように構成される、請求項３に記載の回路。
【請求項６】
前記ドライバ回路が、前記電圧信号の前記フィルタ処理された表現から抽出される前記電圧の大きさの値に関する情報と、前記誘導性デバイスに対応する前記インダクタンスの前記値とを使用して生成された勾配を有する前記出力電流ランプ信号を生成するように構成される、請求項５に記載の回路。
【請求項７】
前記アイソレータが、トランスを備える、請求項１または２に記載の回路。
【請求項８】
前記ドライバ回路が、前記出力電流ランプ信号に対してゼロ平均ＤＣ電流を確立するように構成される、請求項１または２に記載の回路。
【請求項９】
前記ドライバ回路およびフィルタ回路が、前記出力電流信号に対してゼロ平均ＤＣ電流を維持しながら、前記入力電圧信号を所望の入力電圧信号の指定された範囲内に維持するように前記電圧低下を低減するように構成される、請求項８に記載の回路。
【請求項１０】
前記ドライバ回路が、前記入力電圧信号の一部として含まれる送信パルス持続時間に対応するランプ持続時間を含む前記出力電流ランプ信号を生成するように構成される、請求項１に記載の回路。
【請求項１１】
前記ドライバ回路が、前記アイソレータの飽和を回避するために確立された１つ以上の送信パルス持続時間または電流制限に関する情報に応じて前記ランプ信号を解放することを含む、前記出力電流ランプ信号を生成するように構成される、請求項１に記載の回路。
【請求項１２】
前記フィルタ回路と電流ドライバ回路が閉ループ構成で結合され、前記電流ドライバ回路の出力は前記フィルタ回路の入力に結合される、請求項１に記載に記載の回路。
【請求項１３】
前記フィルタ回路が、コンデンサに結合された相互コンダクタンス増幅器を備える、請求項１に記載の回路。
【請求項１４】
アイソレータの入力でのベースライン電圧ワンダを補償するための補償ループ回路であって、
前記アイソレータの入力に結合される、フィルタ回路であって、前記アイソレータの前記入力から入力電圧信号を受信し、かつ前記電圧信号のフィルタ処理された表現を生成するように構成される、フィルタ回路と、
前記フィルタ回路の出力に結合される、利得回路であって、前記電圧信号の前記フィルタ処理された表現を増幅して、増幅された電圧信号を生成するように構成される、利得回路と、
前記利得回路の出力および前記フィルタ回路の入力に結合されて、前記補償ループ回路を形成する、ドライバ回路であって、前記増幅された電圧信号に基づいて、出力電流ランプ信号を生成するように構成される、ドライバ回路と、を備え、
前記ドライバ回路は、前記出力電流ランプ信号を前記アイソレータの前記入力に注入して、前記入力電圧信号の電圧低下を低減または抑制するようにさらに構成され、前記入力電圧信号および前記出力電流ランプ信号は、前記アイソレータの前記入力に印加され、
前記出力電流ランプ信号は、前記入力電圧信号に関連する電圧利得、および前記出力電流ランプ信号に対応する出力電圧信号に基づいて構成可能である、補償ループ回路。
【請求項１５】
前記フィルタ回路は積分コンデンサを備え、前記補償ループ回路の前記電圧利得は、前記積分コンデンサのキャパシタンスを調整することに基づいて、前記出力電流ランプ信号を変化させるように構成される、請求項１４に記載の補償ループ回路。
【請求項１６】
ベースライン電圧ワンダを補償するための信号を生成する方法であって、
アイソレータ回路の入力から入力電圧信号を受信することと、
前記受信された入力電圧信号をフィルタ処理して、前記電圧信号のフィルタ処理された表現を生成することと、
前記アイソレータ回路に関連するインダクタンス、および前記電圧信号の前記フィルタ処理された表現から抽出される電圧の大きさに比例する電流ランプ信号を生成することと、
前記電流ランプ信号を前記アイソレータの前記入力に注入して、前記入力電圧信号の電圧低下を低減または抑制することと、を含み、前記入力電圧信号および前記電流ランプ信号は、前記アイソレータの前記入力に印加される、方法。
【請求項１７】
前記電圧信号の前記フィルタ処理された表現を増幅し、増幅された電圧信号を生成することと、
前記増幅された電圧信号を電流信号に変換し、前記電流ランプ信号を生成することと、をさらに含み、前記電流ランプ信号は、前記入力電圧信号に関連する電圧利得、および前記電流ランプ信号に対応する出力電圧信号に基づいて構成可能である、請求項１６に記載の方法。
【請求項１８】
前記分離回路の前記インダクタンスまたは温度の一方または両方に基づいて、所望の電圧利得を選択することをさらに含む、請求項１７に記載の方法。
【請求項１９】
前記所望の電圧利得に基づいて、前記電圧利得を調整して、前記電流ランプ信号を修正することをさらに含む、請求項１８に記載の方法。
【請求項２０】
前記電圧利得を調整することが、前記電流ランプ信号を生成するために使用される少なくとも１つの回路の相互コンダクタンスまたはキャパシタンスの一方または両方を調整することをさらに含む、請求項１９に記載の方法。
【国際調査報告】
2018537025.tif 000024
2018537025.tif 000025